(57)【要約】      （修正有）【課題】脚立上での作業時における転倒防止の確実性が向上し、脚立の固定作業及び固定解除作業の容易性が向上する脚立用固定具を提供する。【解決手段】支持杆１と、支持杆１の一端側に配された脚立固定部２と、支持杆１の他端側に配された柱状体固定部３と、柱状体固定部３に配されたベルト連結部４とを具備した。【選択図】図１
0003212604.tif 000002
【実用新案登録請求の範囲】
【請求項１】
柱状体に対して脚立を固定する脚立用固定具であって、
支持杆と、前記支持杆の一端側に配された脚立固定部と、
前記支持杆の他端側に配された柱状体固定部と、
前記柱状体固定部に配されたベルト連結部とを具備していることを特徴とする脚立用固定具。
【請求項２】
前記支持杆は、該支持杆の軸方向を長手方向として径方向を軸として開孔された案内長孔を備え、
前記脚立固定部は、前記支持杆に対して該支持杆の軸方向に沿ってスライド自在に嵌合されたスライド筒部と、
前記支持杆の軸方向と平行に、且つ前記支持杆の径と同等以上の内幅を確保して向かい合うように、前記スライド筒部の前記柱状体固定部側の端縁に突設された２枚の案内支持板と、
2枚の前記案内支持板に前記案内長孔と同軸で開孔された案内貫通孔と、
前記案内貫通孔の一方から前記案内長孔を経て他方の案内貫通孔に回転自在に貫通された案内支持杆と、
前記案内貫通孔の一方から突出する前記案内支持杆の一端側に螺合されたナットと、
前記案内貫通孔の他方から突出する前記案内支持杆の他端側に連設された回転操作レバーと、前記脚立の脚部の幅と同等以上の内幅を確保して前記スライド筒部の側面に向かい合うように、前記スライド筒部の径方向に沿って突設された２枚の支持板と、
２枚の前記支持板に同軸で開孔された貫通孔と、
前記貫通孔にわたって抜き差し自在に貫通された抜止杆とを備えていることを特徴とする請求項１記載の脚立用固定具。
【請求項３】
前記案内長孔の前記スライド筒部側の端部は、前記端部に対する前記案内支持杆の接触時に、前記支持杆が前記スライド筒部から抜き出される位置に設定されていることを特徴とする請求項２に記載の脚立用固定具。
【考案の詳細な説明】
【技術分野】
【０００１】
本考案は、脚立の転倒を防止する脚立用固定具に関する。
【背景技術】
【０００２】
電柱や樹木等の高所の作業において、立てた脚立上で作業することがあるが、足場が悪い場所での脚立の転倒防止のため、脚立の脚部と電柱や樹木等とをロープ等で繋ぐように、且つ脚立のガタツキが生じないように固く結び付けることで、脚立を固定して転倒を防止している。
【考案の概要】
【考案が解決しようとする課題】
【０００３】
しかしながら、前述のような固定方法である場合、作業場所の移動の度に、結び付けたロープを解き、移動後に結び直す作業が必要であって、極めて面倒であると共に、脚立の構造上、脚立の脚部と電柱や樹木等との間には間隔が空いてしまうので、ロープ等での結び付けでは固定が難しく、完全な固定状態を作ることができないという問題があった。
【０００４】
現在、脚立上での作業時における転倒防止の確実性の向上、脚立の固定作業及び固定解除作業の容易性の向上が望まれている。
【０００５】
尚、本考案に関連する先行技術文献のうち、出願人が当該実用新案登録出願時に知っているものがないので、開示すべき先行技術文献情報はない。
【課題を解決するための手段】
【０００６】
このような課題を解決するために、本考案は、下記の技術的手段を採用した。
【０００７】
柱状体に対して脚立を固定する脚立用固定具であって、
支持杆と、前記支持杆の一端側に配された脚立固定部と、前記支持杆の他端側に配された柱状体固定部と、前記柱状体固定部に配されたベルト連結部とを具備していることを特徴とする脚立用固定具である。
【０００８】
前記支持杆は、該支持杆の軸方向を長手方向として径方向を軸として開孔された案内長孔を備え、
前記脚立固定部は、前記支持杆に対して該支持杆の軸方向に沿ってスライド自在に嵌合されたスライド筒部と、
前記支持杆の軸方向と平行に、且つ前記支持杆の径と同等以上の内幅を確保して向かい合うように、前記スライド筒部の前記柱状体固定部側の端縁に突設された２枚の案内支持板と、
2枚の前記案内支持板に前記案内長孔と同軸で開孔された案内貫通孔と、
前記案内貫通孔の一方から前記案内長孔を経て他方の案内貫通孔に回転自在に貫通された案内支持杆と、
前記案内貫通孔の一方から突出する前記案内支持杆の一端側に螺合されたナットと、
前記案内貫通孔の他方から突出する前記案内支持杆の他端側に連設された回転操作レバーと、前記脚立の脚部の幅と同等以上の内幅を確保して前記スライド筒部の側面に向かい合うように、前記スライド筒部の径方向に沿って突設された２枚の支持板と、
２枚の前記支持板に同軸で開孔された貫通孔と、
前記貫通孔にわたって抜き差し自在に貫通された抜止杆とを備えていることを特徴とする脚立用固定具である。
【０００９】
前記案内長孔の前記スライド筒部側の端部は、前記端部に対する前記案内支持杆の接触時に、前記支持杆が前記スライド筒部から抜き出される位置に設定されていることを特徴とする脚立用固定具である。
【図面の簡単な説明】
【００１０】
【図１】本考案に係る実施形態の脚立用固定具の使用の一例を示す斜視図である。
【図２】脚立用固定具の斜視図である。
【図３】図１の平面図である。
【図４】図１の側面図であり、脚立固定部を電柱側にスライドさせた状態を示す。
【図５】支持杆を回転させて脚部と平行にした状態を示す側面図である。
【考案を実施するための形態】
【００１１】
以下、本考案の実施形態に係る脚立用固定具Ａを図１〜図５に基づいて説明する。尚、以下で説明する各実施形態は、本考案を限定するものではない。
【００１２】
脚立用固定具Ａは、図１〜図３に示すように、電柱（柱状体）Ｂに対して脚立Ｃを固定するものであり、支持杆１と、支持杆１の脚立Ｃ側（一端側）に配された脚立固定部２と、支持杆１の電柱Ｂ側（他端側）に配された柱状体固定部３と、柱状体固定部３に配されたベルト連結部４とを具備している。
【００１３】
この脚立用固定具Ａは、図１、図３、図４に示すように、脚立固定部２を脚立Ｃの脚部Ｃ１に固定する一方、柱状体固定部３を電柱Ｂに接触させた状態で、ベルト連結部４に連結されたベルトＤを巻き付けると共に、巻き付けたベルトＤをバックルＤ１によって保持することによって、脚立Ｃを固定して転倒を防ぐことができるようになっている。
【００１４】
脚立用固定具Ａの各構成要素を具体的に説明すると、支持杆１は丸パイプが用いられており、支持杆１の軸方向を長手方向として径方向を軸として開孔された案内長孔１０を備えている。
【００１５】
また、支持杆１には、脚立固定部２が軸方向にスライド自在に嵌合されていると共に、支持杆１の電柱Ｂ側の端部に柱状体固定部３が軸支されている。
【００１６】
脚立固定部２は、支持杆１に対して支持杆１の軸方向に沿ってスライド自在に嵌合されたスライド筒部２０と、支持杆１の軸方向と平行に、且つ支持杆１の径と同等の内幅を確保して向かい合うように、スライド筒部２０の柱状体固定部３側の端縁２０ａに突設された２枚の案内支持板２１と、２枚の案内支持板２１に案内長孔１０と同軸で開孔された案内貫通孔２２と、案内貫通孔２２の一方から案内長孔１０を経て他方の案内貫通孔２２に回転自在に貫通された案内支持杆２３と、案内貫通孔２２の一方から突出する案内支持杆２３の一端側に螺合されたナット２４と、案内貫通孔２２の他方から突出する案内支持杆２３の他端側に連設された回転操作レバー２５と、脚立Ｃの脚部Ｃ１の幅と同等の内幅を確保してスライド筒部２０の側面に、互いに向かい合うようにスライド筒部２０の径方向に沿って突設された２枚の支持板２６と、２枚の支持板２６に互いに同軸で開孔された貫通孔２７と、貫通孔２７にわたって抜き差し自在に貫通された抜止杆２８とを備えている。
【００１７】
スライド筒部２０は、少なくとも、支持杆１に対してスムーズにスライドさせることができる程度の内径を有し、支持杆１に対して抜き差しできる筒体である。
【００１８】
案内支持板２１は、スライド筒部２０が支持杆１に嵌合された状態で、支持杆１を挟むと共に、案内貫通孔２２と案内長孔１０が同軸線上に並ぶようにされており、同軸線上に並んだ案内貫通孔２２と案内長孔１０とに貫通された案内支持杆２３によって、支持杆１の軸を中心とするスライド筒部２０の回転が防止される一方、支持杆１の軸方向へのスライドが案内される。
【００１９】
案内支持杆２３は、回転操作レバー２５の回転操作で、ナット２４に対して締め付ける方向と緩める方向に回転する。
【００２０】
案内支持杆２３が締め付ける方向に回転すると、２枚の案内支持板２１を互いに近づける方向に力が作用し、支持杆１に対する案内支持板２１の接触圧力が高まって、スライド筒部２０のスライドが防止され、緩める方向に回転すると、支持杆１に対する案内支持板２１の接触圧力が弱まり、スライド筒部２０がスライドできる状態となる。
【００２１】
すなわち、スライド筒部２０をスライドさせることによって、図３及び図４に示すように、脚立固定部２を柱状体固定部３に対して接近・離間させることができ、これによって、電柱Ｂに対する脚立Ｃの位置を、スライド筒部２０のスライド可能範囲において任意に調整することができる。
【００２２】
また、スライド筒部２０が柱状体固定部３に対して離間する方向のスライド限界位置にあるときには、図５に示すように、支持杆１がスライド筒部２０が抜き出され、抜き出された支持杆１を案内支持杆２３の軸を中心として回転させることができ、この回転によって、支持杆１を支持杆１の軸が脚部Ｃ１の長手方向に沿う収納状態とすることができる。
【００２３】
スライド筒部２０のスライド限界位置は、案内長孔１０のスライド筒部２０側の端部１０ａに案内支持杆２３が接触した位置に規定されている。すなわち、端部１０ａの位置が、端部１０ａに対する案内支持杆２３の接触時に、支持杆１がスライド筒部２０から抜き出される位置に設定されている。
【００２４】
支持板２６は、脚部Ｃ１を挟持するように対面していると共に、貫通した抜止杆２８にナット２８ａを螺合締付けすることで、脚立固定部２を脚部Ｃ１に対して抜け止め固定し、ナット２８ａを緩めて取り外すことで、脚立固定部２を脚部Ｃ１から取り外すことができるようにされている。
【００２５】
抜止杆２８は、ボルトであり、貫通孔２７への貫通時には、支持板２６間の開放部２６ａを塞ぐようにし、ナット２８ａを取外して抜き取ることで、開放部２６ａを開放するようにされている。
【００２６】
柱状体固定部３は、図３において、先端に接触面３０を有した平面凹形状に形成されており、支持杆１に対して支持杆１の軸と直交する軸を有した支軸によって軸支されている。
【００２７】
接触面３０は、電柱Ｂの周面に沿うように平面凹形状の先端側を拡げるように折り曲げ形成されており、電柱Ｂの周面に沿って接触するようにされている。
【００２８】
ベルト連結部４は、柱状体固定部３の側壁３１に開孔された孔であり、この孔にベルトＤを通して、通した状態で電柱Ｂに強く巻き付けてバックルＤ１で止めることによって、柱状体固定部３を電柱Ｂに固定することができる。
【００２９】
以上の構成の脚立用固定具Ａによると、脚立固定部２を支持杆１に対して固定し、柱状体固定部３を電柱Ｂに固定することによって、脚立Ｃを電柱Ｂに対して支持されるように固定することができると共に、この固定によって作業中における脚立Ｃの転倒を防止することができる。
【００３０】
また、脚立用固定具Ａは、脚立Ｃの固定状態においても、脚立Ｃに取り付けた脚立固定部２を脚立Ｃごとスライドさせることで、脚立Ｃの位置を調整することができる。
【００３１】
また、脚立用固定具Ａは、支持杆１を脚部Ｃの長手方向に沿わすように折り畳むことができるので、脚立Ｃの収納時や移動時、或いは脚立用固定具Ａの不使用時でも、脚立用固定具Ａを脚立Ｃに取り付けた状態にすることができる。
【００３２】
したがって、脚立用固定具Ａは、人が脚立Ｃを支えることなく、脚立Ｃ上での作業時における転倒防止の確実性の向上、脚立Ｃの固定作業及び固定解除作業の容易性の向上を実現できる。
【００３３】
本考案の脚立用固定具Ａは、脚立固定部２を支持杆１に対してスライドする構成のものに限らず、脚立固定部２を支持杆１に対して固定された構成も含む(図示せず)。
【符号の説明】
【００３４】
Ａ：脚立用固定具
Ｂ：電柱
Ｃ：脚立
Ｃ１：脚部
Ｄ：ベルト
１：支持杆
２：脚立固定部
３：柱状体固定部
４：ベルト連結部
１０：案内長孔
１０ａ：端部
２０：スライド筒部
２０ａ：端縁
２１：案内支持板
２２：案内貫通孔
２３：案内支持杆
２４：ナット
２５：回転操作レバー
２６：支持板
２７：貫通孔
２８：抜止杆
【図１】
0003212604.tif 000003
【図２】
0003212604.tif 000004
【図３】
0003212604.tif 000005
【図４】
0003212604.tif 000006
【図５】
0003212604.tif 000007